(57)【要約】【課題】レンズホルダーに取り付けたフォーカスコイル及びトラッキングコイルに各駆動電流を４本のサスペンションワイヤを介して供給する。【解決手段】レンズホルダー１４の左右側面の上下に合計で４本の端子１４ｄを突出させ、且つ、４本の端子１４ｄの部位で４本のサスペンションワイヤ１５の各一端部のいずれかとレンズホルダー１４に取り付けたフォーカスコイル１８の端部又はトラッキングコイル１９の端部とを電気的に接続すると共に、４本のサスペンションワイヤ１５の各他端部をサスペンション部１１ｅに揺動自在に支持した際、絶縁性を有するサスペンション部１１ｅに４本の電源供給用ケーブル２３を保持するためのケーブル保持部１１ｅ４を形成し、且つ、４本のサスペンションワイヤ１５の各他端部と４本の電源供給用ケーブル２３とをサスペンションの部位で電気的に接続した。【選択図】　　　図４
2004014036.tif 000002
【特許請求の範囲】
【請求項１】
対物レンズを取り付けたレンズホルダーの左右側面の上下に合計で４本の端子を突出させ、且つ、前記４本の端子の部位で導電性を有する４本のサスペンションワイヤの各一端部のいずれかと前記レンズホルダーに取り付けたフォーカスコイルの端部又はトラッキングコイルの端部とを電気的に接続することで前記４本のサスペンションワイヤの各一端部を前記４本の端子に支持すると共に、前記４本のサスペンションワイヤの各他端部をサスペンションに揺動自在に支持して、前記４本のサスペンションワイヤのいずれかを介して前記フォーカスコイル及び前記トラッキングコイルに各駆動電流を供給しながら前記レンズホルダーと一体に前記対物レンズを光ディスクに対してフォーカス方向及びトラッキング方向に揺動させるように構成した光ピックアップ装置において、
絶縁性を有する前記サスペンションに４本の電源供給用ケーブルを保持するためのケーブル保持部を形成し、且つ、前記４本のサスペンションワイヤの各他端部と前記４本の電源供給用ケーブルとを前記サスペンションの部位で電気的に接続したことを特徴とする光ピックアップ装置。
【請求項２】
請求項１記載の光ピックアップ装置において、
前記４本のサスペンションワイヤの振動を抑制するために、前記レンズホルダー及び前記サスペンションにダンピング剤を充填したことを特徴とする光ピックアップ装置。
【発明の詳細な説明】
【０００１】
【発明の属する技術分野】
本発明は、対物レンズを取り付けたレンズホルダーを４本のサスペンションワイヤを介してサスペンションに揺動自在に支持して、レンズホルダーと一体に対物レンズを光ディスクに対してフォーカス方向及びトラッキング方向に揺動させる光ピックアップ装置において、レンズホルダーに取り付けたフォーカスコイル及びトラッキングコイルに４本のサスペンションワイヤを介して各駆動電流を供給する際に、絶縁性を有するサスペンションに４本の電源供給用ケーブルを保持するためのケーブル保持部を形成し、且つ、サスペンションの部位で導電性を有する４本のサスペンションワイヤの各他端部と４本の電源供給用ケーブルとを電気的に接続した光ピックアップ装置に関するものである。
【０００２】
【従来の技術】
音声信号，映像信号，データ信号などの各種の情報信号を高密度に記録及び／又は再生できる光ディスクは、光ディスクドライブ内に移動自在に設けた光学ピックアップ装置により信号面上の所望の記録トラックを高速にアクセスできることから多用されている。
【０００３】
この際、上記した光学ピックアップ装置は、半導体レーザーから出射したレーザー光を対物レンズにより絞り込んで光スポットを得て、この光スポットを光ディスクの信号面上の記録トラックに照射し、且つ、信号面の反射膜で反射された戻り光をフォトディテクタにより検出して情報信号を再生している。尚、情報信号を光ディスクの信号面上に記録する場合にはレーザーパワーの強い記録用の光スポットを信号面上に照射し、一方、記録済みの情報信号を再生する場合にはレーザーパワーの弱い再生用の光スポットを信号面上に照射している。
【０００４】
図１は従来の光ピックアップ装置を示した斜視図である。
【０００５】
図１に示した如く、従来の光ピックアップ装置１０Ａでは、基台となるオプチカルベース１１が絶縁性を有する樹脂材を用いて成形加工により一体的に形成されている。このオプチカルベース１１の上面１１ａは不図示の光ディスクの信号面と略平行に形成されており、この上面１１ａの前方に上面１１ａより一段下がってガイドレール支持部１１ｂが形成され、且つ、このガイドレール支持部１１ｂに不図示の光ディスクドライブ内に設けたガイドレールＧＲが摺動自在に嵌合することで、オプチカルベース１１が後述する対物レンズ１３を取り付けたレンズホルダー１４と一体に不図示の光ディスクの径方向に移動可能になっている。
【０００６】
上記したオプチカルベース１１の上面１１ａ上には、軟磁性鋼板などを用いて形成したヨークベース１２の平坦面１２ａが取り付けられており、且つ、この平坦面１２ａの上方に対物レンズ１３を取り付けたレンズホルダー１４が上下左右合計で４本のサスペンションワイヤ１５を介してサスペンション１６に揺動自在に支持されている。
【０００７】
より具体的には、まず、上記したヨークベース１２は、レンズホルダー１４を挟んだ前後に一対の第１ヨーク部１２ｂ，１２ｃが平坦面１２ａから上方に向かって切り起こし形成されていると共に、レンズホルダー１４内で対物レンズ１３を挟んだ前後に貫通して略矩形状に形成した一対の貫通孔１４ａ，１４ｂ内に一対の第２ヨーク部１２ｄ，１２ｅが上方に向かって切り起こされて進入している。
【０００８】
また、ヨークベース１２の平坦面１２ａには、対物レンズ１３の下方にレーザー光通過用の貫通孔１２ｆが穿設されている。更に、ヨークベース１２に形成した一対の第１ヨーク部１２ｂ，１２ｃの内側に一対のマグネット１７，１７が固着されており、且つ、一対のマグネット１７，１７は一対の第２ヨーク部１２ｄ，１２ｅにそれぞれ対向している。
【０００９】
次に、レンズホルダー１４は絶縁性を有する樹脂材を用いて小型軽量に直方形状に形成されており、中心部に形成した不図示の対物レンズ取付用段付き孔内の上方部位に対物レンズ１３が接着剤などにより取り付けられていると共に、直方形状の外周部位に沿ってフォーカスコイル１８が巻回しながら接着剤などにより固着され、且つ、一対のマグネット１７，１７と対向する外周部位側に前後２個づつで合計４個のトラッキングコイル１９が接着剤などにより固着されている。
【００１０】
次に、サスペンション１６は絶縁性を有する樹脂材を用いてコ字枠状に形成されており、且つ、サスペンション１６はヨークベース１２の平坦面１２ａの上方でこのヨークベース１２に形成した一対の第１ヨーク部１２ｂ，１２ｃのうちで後方の第１ヨーク部１２ｃにネジ２０を用いて固着されている。
【００１１】
そして、上下左右合計で４本のサスペンションワイヤ１５は、半田付け可能な導電性を有する線材を用いてレンズホルダー１４とサスペンション１６との間で不図示の光デイスクの信号面に対して略平行に配置されている。また、４本のサスペンションワイヤ１５の各一端部側をレンズホルダー１４の左右側面の上下に突出形成した４本の凸部１４ｃにそれぞれ支持させると共に、各一端部側の先端部位をレンズホルダー１４の左右側面の上下に圧入した４本の導電性ピン２１にフォーカスコイル１８の端部又はトラッキングコイル１９の端部と一緒に半田付けし、且つ、各一端部側と反対側の各他端部をサスペンション１６の左右側面側の上下にそれぞれ支持させると共に、各他端部の先端部位をサスペンション１６の後面に固着させた中継用配線基板２２にそれぞれ半田付けしている。
【００１２】
尚、レンズホルダー１４を半田付けに対して耐熱性を有する樹脂材を用いて成形した場合には、レンズホルダー１４の左右側面の上下に４本の導電性ピン２１を圧入せずに、４本の導電性ピン２１に代えてレンズホルダー１４の左右側面の上下にレンズホルダー１４と一体に４本の端子（図示せず）を突出させ、各端子にフォーカスコイル１８の端部又はトラッキングコイル１９の端部を予めからませた上で、フォーカスコイル１８の端部又はトラッキングコイル１９の端部と一緒にサスペンションワイヤ１５の各一端部を半田付けする方法もある。
【００１３】
従って、フォーカスコイル１８及びトラッキングコイル１９は４本のサスペンションワイヤ１５のいずれかを介して配線基板２２に電気的に接続され、更に、配線基板２２から４本の電源供給用ケーブル２３を介してオプチカルベース１１に形成したガイドレール支持部１１ｂと略直交する側面１１ｃに沿って略垂直に取り付けたコネクタ回路基板２４に電気的に接続され、信号源側のコネクタ（図示せず）をコネクタ回路基板２４に取り付けたコネクタ２５に接続することで、フォーカスコイル１８及びトラッキングコイル１９にフォーカス駆動電流及びトラッキング駆動電流が供給されるようになっている。
【００１４】
これにより、フォーカスコイル１８及びトラッキングコイル１９に各駆動電流を供給すると、一対の第１ヨーク部１２ｂ，１２ｃに固着した一対のマグネット１７，１７と、一対の第２ヨーク部１２ｄ，１２ｅとの間に発生する磁界により、レンズホルダー１４に取り付けた対物レンズ１３が４本のサスペンションワイヤ１５を介して不図示の光ディスクに対してフォーカス方向ＦＯ及びトラッキング方向ＴＲに揺動自在になっている。
【００１５】
更に、オプチカルベース１１の側面１１ｃ側で上方に向かって突出形成した板バネ支持台１１ｄ上にチルト調整用板バネ２６が固着されており、このチルト調整用板バネ２６の先端部位から下方に向かって折り曲げ形成した折り曲げ部２６ａがヨークベース１２の平坦面１２ａ上に常に当接している。そして、オプチカルベース１１の裏面側に設けた不図示のチルト調整用ネジでヨークベース１２の裏面側を、ヨークベース１２の平坦面１２ａに当接しているチルト調整用板バネ２６の付勢力に抗して押し上げて、レンズホルダー１４に取り付けた対物レンズ１３の光軸Ｋが不図示の光ディスクの信号面に対して略垂直な姿勢を取るようにチルト調整を行った後、樹脂材を用いて成形した化粧カバー２７をレンズホルダー１４の上方部位に嵌め込んでいる。
【００１６】
尚、ここでの図示を省略するものの、オプチカルベース１１の裏面側には、レーザー光を対物レンズ１３側に出射する半導体レーザーと、半導体レーザーからのレーザー光をビームスプリッタを介して対物レンズ１３で絞り込んで得た光スポットを光ディスクの信号面に照射し、この信号面の反射膜で反射された戻り光を対物レンズ１３，ビームスプリッタを介して検出して情報信号を再生するフォトディテクタなどが設けられている。
【００１７】
更に、光ピックアップ装置の小型化，高性能化，生産性などを図る場合には、オプチカルベース１１の裏面側に、レーザー光を出射する半導体レーザー，光ディスクからの戻り光を回折するホログラム素子，ホログラム素子で回折した戻り光を検出するフォトディテクタなどを一体的に集積したホログラムデバイスが設けられている。
【００１８】
【発明が解決しようとする課題】
ところで、図１に示した従来の光ピックアップ装置１０Ａでは、前述したように、レンズホルダー１４に取り付けたフォーカスコイル１８及びトラッキングコイル１９に４本のサスペンションワイヤ１５を介して各駆動電流を供給しており、この際、図２に拡大して示したように、４本のサスペンションワイヤ１５の各他端部をサスペンション１６の後面に固着させた中継用配線基板２２に半田付けしてから４本の電源供給用ケーブル２３に接続しているために、半田付け工数がかかり、この中継用配線基板２２が光ピックアップ装置１０Ａのコスト低減化を図る際に妨げになっている。
【００１９】
また、上記した中継用配線基板２２に代えて、図３に拡大して示したように、４本のサスペンションワイヤ１５の各他端部をサスペンション１６の後面に固着させた中継用フレキシブル配線基板２８に半田付けすることで、４本の電源供給用ケーブル２３が不要になり４本の電源供給用ケーブル２３の半田付け工数が削減できるものの、中継用フレキシブル配線基板２８自体のコストが高いので、この場合でも中継用フレキシブル配線基板２８が光ピックアップ装置１０Ａのコスト低減化を図る際に妨げになっている。
【００２０】
そこで、レンズホルダーに取り付けたフォーカスコイル及びトラッキングコイルに４本のサスペンションワイヤを介して各駆動電流を供給する際に、サスペンションの後面に中継用配線基板又は中継用フレキシブル配線基板を固着させることなく、サスペンションの部位で導電性を有する４本のサスペンションワイヤの各他端部と、４本の電源供給用ケーブルとを電気的に接続できる光ピックアップ装置が望まれている。
【００２１】
【課題を解決するための手段】
本発明は上記課題に鑑みてなされたものであり、第１の発明は、対物レンズを取り付けたレンズホルダーの左右側面の上下に合計で４本の端子を突出させ、且つ、前記４本の端子の部位で導電性を有する４本のサスペンションワイヤの各一端部のいずれかと前記レンズホルダーに取り付けたフォーカスコイルの端部又はトラッキングコイルの端部とを電気的に接続して４本のサスペンションワイヤの各一端部を４本の端子に支持すると共に、前記４本のサスペンションワイヤの各他端部をサスペンションに揺動自在に支持して、前記４本のサスペンションワイヤのいずれかを介して前記フォーカスコイル及び前記トラッキングコイルに各駆動電流を供給しながら前記レンズホルダーと一体に前記対物レンズを光ディスクに対してフォーカス方向及びトラッキング方向に揺動させるように構成した光ピックアップ装置において、
絶縁性を有する前記サスペンションに４本の電源供給用ケーブルを保持するためのケーブル保持部を形成し、且つ、前記４本のサスペンションワイヤの各他端部と前記４本の電源供給用ケーブルとを前記サスペンション部位で電気的に接続したことを特徴とする光ピックアップ装置である。
【００２２】
また、第２の発明は、上記した第１の発明の光ピックアップ装置において、
前記４本のサスペンションワイヤの振動を抑制するために、前記レンズホルダー及び前記サスペンションにダンピング剤を充填したことを特徴とする光ピックアップ装置である。
【００２３】
【発明の実施の形態】
以下に本発明に係る光ピックアップ装置の一実施例を図１，図４及び図５を参照して＜第１実施例＞，＜第２実施例＞の順に詳細に説明する。
【００２４】
＜第１実施例＞
図４は本発明に係る第１実施例の光ピックアップ装置を説明するための図であり、（ａ）は対物レンズを取り付けたレンズホルダーを４本のサスペンションワイヤを介してオプチカルベース上のサスペンション部に揺動自在に支持した状態を模式的に示した斜視図、（ｂ）はサスペンション部を拡大して示した側面図、（ｃ）はレンズホルダーを拡大して示した側面図である。
【００２５】
本発明に係る第１実施例の光ピックアップ装置１０Ｂは、先に図１を用いて説明した従来の光ピックアップ装置１０Ａと同様に、オプチカルベース１１の上面１１ａ上で対物レンズ１３を取り付けたレンズホルダー１４を４本のサスペンションワイヤ１５を介してサスペンションに揺動自在に支持して、レンズホルダー１４と一体に対物レンズ１３を不図示の光ディスクに対してフォーカス方向ＦＯ及びトラッキング方向ＴＲに揺動させているものの、従来の光ピックアップ装置１０Ａと異なる点は、レンズホルダー１４に取り付けたフォーカスコイル１８及びトラッキングコイル１９に４本のサスペンションワイヤ１５を介して各駆動電流を供給するにあたって、サスペンション１６の後面に固着させた中継用配線基板２２｛図２（ａ）｝又は中継用フレキシブル配線基板２８｛図２（ｂ）｝を用いないように一部改良したものであり、説明の便宜上、先に従来例で示した構成部材と同一構成部材に対しては同一の符号を付し、且つ、従来例と異なる構成部材に新たな符号を付す共に、この第１実施例では従来例と異なる点を中心に説明する。
【００２６】
図４（ａ）に示した如く、本発明に係る第１実施例の光ピックアップ装置１０Ｂでは、絶縁性を有する樹脂材を用いてオプチカルベース１１の上面１１ａの後方にサスペンション部１１ｅが一体的に成形加工により形成されている。これにより、オプチカルベース１１に形成したサスペンション部１１ｅの寸法精度を確保できる。
【００２７】
尚、この第１実施例において、図１を用いて説明した従来例と同様に、オプチカルベース１１に対して別体のサスペンション１６を後述するサスペンション部１１ｅと略同様な形状に形成すれば、別体のサスペンション１６をヨークベース１２の第１ヨーク部１２ｃにネジ２０を用いて固着させても適用可能である。
【００２８】
ここで、図４（ｂ）に拡大して示したように、オプチカルベース１１のサスペンション部１１ｅの左右側面の上下で合計４箇所の部位には、４本のサスペンションワイヤ１５の各他端部に対してダンピング剤３１を充填するための各第１水平溝部１１ｅ１と、サスペンションワイヤ固定用の接着剤３２を充填するための各第２水平溝部１１ｅ２と、４本のサスペンションワイヤ１５の各他端部と４本の電源供給用ケーブル２３の各先端部とを半田３３により電気的に接続するための各逃げ凹部１１ｅ３と、電源供給用ケーブル２３の被覆部を保持するために上下に対向して僅かに隙間を隔てて凸状に突出させた各一対のケーブル保持突起部１１ｅ４と、電源供給用ケーブル固定用の接着剤３４を充填するための各第３水平溝部１１ｅ５とが前方のレンズホルダー１４側から後面側に向かって順に形成されている。この際、サスペンション部１１ｅに形成した第１水平溝部１１ｅ１，第２水平溝部１１ｅ２，逃げ凹部１１ｅ３，一対のケーブル保持突起部１１ｅ４，第３水平溝部１１ｅ５は、一つのサスペンションワイヤ１５に対して略直線的にレンズホルダー１４側から後面側に向かって上記順で配列し、この列がサスペンション部１１ｅの左右側面の上下で合計４箇所配列している。
【００２９】
次に、図４（ｃ）に拡大して示したように、対物レンズ１３を取り付けるためのレンズホルダー１４は、半田付けに対して耐熱性及び絶縁性を有する樹脂材を用いて成形加工により形成されている。
【００３０】
また、レンズホルダー１４の左右側面の上下には、４本のサスペンションワイヤ１５の各一端部の先端部位をフォーカスコイル１８の端部又はトラッキングコイル１９の端部と一緒に半田３５により電気的に接続するための４本の端子１４ｄがレンズホルダー１４と一体に左右側面から突出して設けられている。この際、４本の端子１４ｄは絶縁性を有しているので４本の端子１４ｄのいずれかに、フォーカスコイル１８の端部及びトラッキングコイル１９の端部を予めからませておくことで、４本のサスペンションワイヤ１５の各一端部の先端部位も一緒に半田付けすることが可能になっている。
【００３１】
尚、レンズホルダー１４の左右側面の上下に４本の端子１４ｄを一体成形せずに、これに代えて導電性を有する４本の導電性端子（図示せず）をレンズホルダー１４の左右側面の上下に圧入などにより取り付けても、上記と同じく、４本のサスペンションワイヤ１５のいずれかにフォーカスコイル１８の端部及びトラッキングコイル１９の端部を電気的に接続できる。
【００３２】
また、レンズホルダー１４の左右側面の上下で後方のサスペンション部１１ｅ側には、４本のサスペンションワイヤ１５の各一端部を接着剤３６で固定すると共に、４本のサスペンションワイヤ１５の各一端部に対してダンピング剤３７を充填するための各水平溝部１４ｅ１を有した各ワイヤ支持凸部１４ｅがレンズホルダー１４と一体的に突出形成されている。
【００３３】
上記のように構成した第１実施例の光ピックアップ装置１０Ｂでは、レンズホルダー１４の左右側面の上下に突出させた４本の端子１４ｄの部位で導電性を有する４本のサスペンションワイヤ１５の各一端部のいずれかとレンズホルダー１５に取り付けたフォーカスコイル１８の端部又はトラッキングコイル１９の端部とを電気的に接続し、且つ、４本のサスペンションワイヤ１５の各一端部をレンズホルダー１４の左右側面の上下に形成した各ワイヤ支持凸部１４ｅに接着剤３６で固定すると共に、各ワイヤ支持凸部１４ｅの各水平溝部１４ｅ１に充填したダンピング剤３７により４本のサスペンションワイヤ１５の各一端部で発生する振動を抑制している。
【００３４】
また、４本のサスペンションワイヤ１５の各他端部は、オプチカルベース１１のサスペンション部１１ｅの左右側面の上下に形成した各第１水平溝部１１ｅ１に充填したダンピング剤３１により振動を抑制され、且つ、各第２水平溝部１１ｅ２に接着剤３２で固定されている。
【００３５】
更に、４本の電源供給用ケーブル２３の被覆部はオプチカルベース１１のサスペンション部１１ｅの左右側面の上下に形成した各一対のケーブル保持突起部１１ｅ４に保持されていると共に、各第３水平溝部１１ｅ５に接着剤３２で固定されている。
【００３６】
そして、４本のサスペンションワイヤ１５の各他端部と、４本の電源供給用ケーブル２３の各先端部とを、オプチカルベース１１のサスペンション部１１ｅの左右側面の上下に形成した各逃げ凹部１１ｅ３内で半田３３を用いて電気的に接続している。
【００３７】
これにより、４本の電源供給用ケーブル２３及び４本のサスペンションワイヤ１５を介してフォーカスコイル１８及びトラッキングコイル１９に各駆動電流を供給することができ、従来例で説明したようなサスペンションの後面に固着させた中継用配線基板又は中継用フレキシブル配線基板を用いていないので、部品点数を削減でき、光ピックアップ装置１０Ｂのコストを低減することができる。
【００３８】
尚、サスペンションワイヤ１５，フォーカスコイル１８及びトラッキングコイル１９を端子１４ｄに電気的に接続する場合には半田付けだけでなく、導電性ペーストなどを用いて良い。
【００３９】
尚更に、サスペンションワイヤ１５と電源供給用ケーブル２３とを電気的に接続する場合には半田付けだけでなく、導電性ペーストを用いても良いし、圧着とか電気溶接などを用いても良い。
【００４０】
＜第２実施例＞
図５は本発明に係る第２実施例の光ピックアップ装置を説明するための図であり、（ａ）は対物レンズを取り付けたレンズホルダーを４本のサスペンションワイヤを介してオプチカルベース上のサスペンション部に揺動自在に支持した状態を模式的に示した斜視図、（ｂ）はサスペンション部を拡大して示した側面図である。
【００４１】
本発明に係る第２実施例の光ピックアップ装置１０Ｃも、先に図１を用いて説明した従来の光ピックアップ装置１０Ａと同様に、オプチカルベース１１の上面１１ａ上で対物レンズ１３を取り付けたレンズホルダー１４を４本のサスペンションワイヤ１５を介してサスペンションに揺動自在に支持して、レンズホルダー１４と一体に対物レンズ１３を不図示の光ディスクに対してフォーカス方向ＦＯ及びトラッキング方向ＴＲに揺動させているものの、従来の光ピックアップ装置１０Ａと異なる点は、レンズホルダー１４に取り付けたフォーカスコイル１８及びトラッキングコイル１９に４本のサスペンションワイヤ１５を介して各駆動電流を供給するにあたって、ここでもサスペンション１６の後面に固着させた中継用配線基板２２｛図２（ａ）｝又は中継用フレキシブル配線基板２８｛図２（ｂ）｝を用いないように一部改良したものであり、説明の便宜上、先に従来例で示した構成部材と同一構成部材に対しては同一の符号を付し、且つ、従来例と異なる構成部材に新たな符号を付す共に、この第２実施例では従来例と異なる点を中心に説明する。
【００４２】
図５（ａ）に示した如く、本発明に係る第２実施例の光ピックアップ装置１０Ｃでは、絶縁性を有する樹脂材を用いてオプチカルベース１１の上面１１ａの後方にサスペンション部１１ｆが一体的に成形加工により形成されている。これにより、オプチカルベース１１に形成したサスペンション部１１ｆの寸法精度を確保できる。
【００４３】
尚、この第２実施例においても、図１を用いて説明した従来例と同様に、オプチカルベース１１に対して別体のサスペンション１６を後述するサスペンション部１１ｆと略同様な形状に形成すれば、別体のサスペンション１６をヨークベース１２の第１ヨーク部１２ｃにネジ２０を用いて固着させても適用可能である。
【００４４】
ここで、図５（ｂ）に拡大して示したように、オプチカルベース１１のサスペンション部１１ｆの左右側面の上下で前方のレンズホルダー１４側には、４本のサスペンションワイヤ１５の各他端部に対してダンピング剤４１を充填するための各第１水平溝部１１ｆ１が形成されている。
【００４５】
また、オプチカルベース１１のサスペンション部１１ｆの後面の左右上下には、４本のサスペンションワイヤ１５の各他端部と４本の電源供給用ケーブル２３の各先端部とを半田（又は導電性ペースト）４２により電気的に接続するための各逃げ凹部１１ｆ２と、４本の電源供給用ケーブル２３の各被覆部を保持するために上下に対向して僅かに隙間を隔てて凸状に突出させた各一対のケーブル保持突起部１１ｆ３と、電源供給用ケーブル固定用の接着剤４３を充填するための各第２水平溝部１１ｆ４と、４本の電源供給用ケーブル２３を挿通するための中央垂直溝１１ｆ５とが形成されている。
【００４６】
尚、レンズホルダー１４側は、第１実施例と同じであるので詳述を省略する。前記した第１実施例の光ピックアップ装置１０Ｂでは、４本のサスペンションワイヤ１５の各他端部と、４本の電源供給用ケーブル２３の各先端部とを電気的に接続する際に、オプチカルベース１１のサスペンション部１１ｆの左右側面の上下で接続していたが、上記のように構成した第２実施例の光ピックアップ装置１０Ｃでは、４本のサスペンションワイヤ１５の各他端部と、４本の電源供給用ケーブル２３の各先端部とを電気的に接続する際に、オプチカルベース１１のサスペンション部１１ｆの後面の左右上下で接続している点が異なるだけである。
【００４７】
【発明の効果】
以上詳述した本発明に係る光ピックアップ装置において、請求項１記載によると、とくに、対物レンズを取り付けたレンズホルダーの左右側面の上下に合計で４本の端子を突出させ、且つ、４本の端子の部位で導電性を有する４本のサスペンションワイヤの各一端部のいずれかとレンズホルダーに取り付けたフォーカスコイルの端部又はトラッキングコイルの端部とを電気的に接続することで４本のサスペンションワイヤの各一端部を４本の端子に支持すると共に、４本のサスペンションワイヤの各他端部をサスペンションに揺動自在に支持した際、絶縁性を有するサスペンションに４本の電源供給用ケーブルを保持するためのケーブル保持部を形成し、且つ、４本のサスペンションワイヤの各他端部と４本の電源供給用ケーブルとをサスペンションの部位で電気的に接続したため、４本の電源供給用ケーブル及び４本のサスペンションワイヤを介してフォーカスコイル及びトラッキングコイルに各駆動電流を供給することができ、従来例で説明したようなサスペンションの後面に固着させた中継用配線基板又は中継用フレキシブル配線基板を用いていないので、部品点数を削減でき、光ピックアップ装置のコストを低減することができる。
【００４８】
また、請求項２記載によると、とくに、４本のサスペンションワイヤの振動を抑制するために、レンズホルダー及びサスペンションにダンピング剤を充填したために、４本のサスペンションワイヤの振動を抑制することができる。
【図面の簡単な説明】
【図１】従来の光ピックアップ装置を示した斜視図である。
【図２】従来の光ピックアップ装置において、サスペンションに中継用配線基板を取り付けた状態を模式的に示した斜視図である。
【図３】従来の光ピックアップ装置において、サスペンションに中継用フレキシブル配線基板を取り付けた状態を模式的に示した斜視図である。
【図４】本発明に係る第１実施例の光ピックアップ装置を説明するための図であり、（ａ）は対物レンズを取り付けたレンズホルダーを４本のサスペンションワイヤを介してオプチカルベース上のサスペンション部に揺動自在に支持した状態を模式的に示した斜視図、（ｂ）はサスペンション部を拡大して示した側面図、（ｃ）はレンズホルダーを拡大して示した側面図である。
【図５】本発明に係る第２実施例の光ピックアップ装置を説明するための図であり、（ａ）は対物レンズを取り付けたレンズホルダーを４本のサスペンションワイヤを介してオプチカルベース上のサスペンション部に揺動自在に支持した状態を模式的に示した斜視図、（ｂ）はサスペンション部を拡大して示した側面図である。
【符号の説明】
１０Ｂ…第１実施例の光ピックアップ装置、
１０Ｃ…第２実施例の光ピックアップ装置、
１１…オプチカルベース、１１ａ…上面、
１１ｅ…サスペンション部（第１実施例）、
１１ｅ１…第１水平溝部、１１ｅ２…第２水平溝部、１１ｅ３…逃げ凹部、
１１ｅ４…ケーブル保持突起部、１１ｅ５…第３水平溝部、
１１ｆ…サスペンション部（第２実施例）、１１ｆ１…第１水平溝部、
１１ｆ２…逃げ凹部、１１ｆ３…ケーブル保持突起部、
１１ｆ４…第２水平溝部、１１ｆ５…中央垂直溝、
１２…ヨークベース、
１３…対物レンズ、１４…レンズホルダー、１４ｄ…端子、
１４ｅ…ワイヤ支持凸部、１４ｅ１…水平溝部、
１５…サスペンションワイヤ、
１７…マグネット、１８…フォーカスコイル、１９…トラッキングコイル、
２３…電源供給用ケーブル、
３１…ダンピング剤（第１実施例）、
４１…ダンピング剤（第２実施例）、
Ｋ…対物レンズの光軸、ＦＯ…フォーカス方向、ＴＲ…トラッキング方向。
【図１】
2004014036.tif 000003
【図２】
2004014036.tif 000004
【図３】
2004014036.tif 000005
【図４】
2004014036.tif 000006
【図５】
2004014036.tif 000007